(57)【特許請求の範囲】
【請求項１】
収容構造を有するマウスパッドであって、
マウスパッドボディと、
前記ボディの裏／表面の端部にそれぞれ配置され、互いに結合するために対応する複数の留め具部材と、を含み、
前記留め具部材が結合するように互いに対応するとき、前記マウスパッドボディはその内部に収容するための空間を形成するために折り曲げられ、
前記留め具部材は、ケーブル受容部材を備え、
前記ケーブル受容部材及び前記留め具部材は対である、収容構造を有するマウスパッド。
【請求項２】
前記ボディの裏／表面の両端部に沿って配置される溝縁部を更に含み、前記留め具部材は前記溝縁部の上に形成される、請求項１に記載の収容構造を有するマウスパッド。
【請求項３】
前記ボディの裏／表面の両端部に配置される前記留め具部材は対である請求項１に記載の収容構造を有するマウスパッド。
【請求項４】
前記留め具部材は、ボタン、ベルクロ（登録商標）、又はジッパーの形状である、請求項１に記載の収容構造を有するマウスパッド。
【発明の詳細な説明】
【技術分野】
【０００１】
本発明は、収容構造を備えたマウスパッドに関するものであり、より具体的にはコンピュータ用マウスを収容するマウスパッドに関するものである。
【背景技術】
【０００２】
年々の進化とともに、コンピュータはますます普及してきている。より多くの人々が便利に仕事をこなすためにノート型コンピュータを持ち歩いている。マウスはコンピュータインプットデバイスとして使用され、コンピュータに接続されているビデオディスプレイ上のカーソルの動きをコントロールする。ノート型コンピュータにおいて、カーソル位置は、タッチパネル上の指の動きに反応してコントロールされる。しかしながら、大半の人々はマウスを使ってコンピュータを操作することに慣れているため、そのようなタッチオペレーションに慣れ親しんでいない。また、指の動きの正確さは、手で操作されるマウスでの操作ほど正確ではない。その結果、大半の人々はノート型コンピュータを持ち運ぶとき、更にマウスを一緒に持ち運ぶ傾向がある。
【先行技術文献】
【特許文献】
【０００３】
【特許文献１】台湾公開公報Ｉ３１２４５２号
【発明の概要】
【発明が解決しようとする課題】
【０００４】
図１は、マウスが接続された従来のノート型コンピュータの略図であり、ノート型コンピュータ１とマウス２とが接続された状態を示している。しかしながら、現状のマウス２は通常、マウスオペレーションを認識するための完全な平面を必要とする光学式マウスである。光学式マウスは、反射性の悪い平面又はガラス面などの上ではカーソルの動きを正確にコントロールすることが不可能であり、オペレーション効率を非常に悪くする。そのためユーザーは光学式マウスが必要とする適当な平面を提供するために、付随的にマウスパッド３を持ち運ぶ必要があり、マウス２と共にマウスパッド３を持ち運ぶことはユーザーにとって不便である。従って、マウス２及びマウスパッド３を一体にすることは、持ち運びを便利にする。
【課題を解決するための手段】
【０００５】
本発明の主要目的は、コンピュータ用マウスをマウスパッドに収容することでマウス及びマウスパッドを一体にするある種の収容構造を有する改良マウスパッドを提供することであり、持ち運びの利便性を改善する。
【発明の効果】
【０００６】
上述の目的を達成するために、本発明は、マウスパッドボディ及び複数の留め具部材を含む収容構造を有するマウスパッドを提供する。留め具部材が互いに対応し結合するとき、マウスパッドボディは折り曲げられマウスが収容できる空間を形成するように、留め具部材は、ボディの表／裏面の各端部にそれぞれ位置し、互いに結合するように対応している。
【０００７】
一つの実施形態で説明されたように、収容構造を有するマウスパッドは、マウスパッドボディの表／裏面の各端部に沿って配置される溝縁部を更に含み、留め具部材はその上に配置される。
【０００８】
好ましくは、収容構造を有するマウスパッドは、マウスパッドボディの表／裏面に配置された留め具部材が対になっていること更に含む。
好ましくは、留め具部材はボタン、ベルクロ（登録商標）、又はジッパーの形状である。
好ましくは、留め具部材はケーブル受容部材を備えている。
好ましくは、ケーブル受容部材及び留め具部材は対である。
【図面の簡単な説明】
【０００９】
【図１】従来のマウスが接続されたノート型コンピュータを示す。
【図２Ａ】本発明に従った収容構造を有するマウスパッドを示す。
【図２Ｂ】本発明に従った第二留め具部材の拡大図である。
【図３Ａ】マウスを収容したときのマウスパッドを示す。
【図３Ｂ】マウスを収容したときのマウスパッドのその他の実施例を示す。
【図３Ｃ】マウスを収容したときのマウスパッドのその他の実施例を示す。
【発明を実施するための形態】
【００１０】
本発明の上述された目的及び有利な点は、以下の図と併せて詳細な説明とともにより完全に理解されるであろう。
【００１１】
図２Ａは、本発明に従った収容構造を有するマウスパッドを示す。収容構造を有するマウスパッド４は、マウスパッドボディ４１及び複数の留め具部材４２を含む。留め具部材４２は、マウスパッドボディ４１の表／裏面の両端部にそれぞれ位置している。本発明に従った留め具部材４２の数及び構造は制限されていない。マウスパッドボディの表／裏面の各両端部に沿って溝縁部４３が配置されており、留め具部材４２はその上に配置される。そして留め具部材４２がマウスパッドボディ４１の表／裏面から突き出ないようになっている。
【００１２】
図２Ｂは、本発明に従った第二留め具部材の拡大図である。留め具部材４２はケーブル受容部材４２１を備えており、マウス２に接続されたケーブルを巻きつけてケーブルを受容することができる。ケーブル受容部材４２１は、留め具部材４２のいずれか１箇所に配置されてもよいが、本発明では特に制限されない。
【００１３】
図３Ａを参照する。図３Ａは、マウスを収容したときのマウスパッドを示す。マウス２または本発明によると制限されていない他の内容物を収容するマウスパッドボディ４１の内部に収容空間４４を形成するように、留め具部材４２は互いに接合するために他方の留め具部材４２に対応しており、マウスパッドボディ４１が折りたたまれた形状を形成する。マウスパッドボディ４１の表／裏面に反対向きに配置された留め具部材４２は対であり、マウスパッドボディ４１の各端部を通って備え付けられている。
【００１４】
図３Ｂは、マウスを収容したときのマウスパッドのその他の実施例を示す。マウスパッドボディ４１は、収容空間４４に収容される内容物にしたがって連続して折り曲げられる。この場合、一方の留め具部材４２が対応する留め具部材４２と接合するように、マウスパッドボディ４１のいずれかの端部が互いに折り曲げられる。図３Ｃは、マウスを収容したときのマウスパッドのその他の実施例を示す。留め具部材４２が互いに接合されたとき、収容空間４４に収容された収容物がマウスパッドボディ４１にきちんと覆われるように、マウスパッドボディ４１の表／裏面の両端部は互いに折り重なる。留め具部材はボタン、ベルクロ（登録商標）、又はジッパーの形状であることが望ましい。留め具部材４２の接合位置は、収容空間４４に収容される収容物によって調節されてもよい。
【００１５】
本発明は複数の実施形態を参照して詳細に説明されてきたが、付随的な変化は後述の特許請求の範囲で説明されるように本発明の観点及び精神の範囲内に存在する。
【図１】
0005480767.tif 000002
【図２Ａ】
0005480767.tif 000003
【図２Ｂ】
0005480767.tif 000004
【図３Ａ】
0005480767.tif 000005
【図３Ｂ】
0005480767.tif 000006
【図３Ｃ】
0005480767.tif 000007